(57)【要約】      （修正有）【課題】従来の靴紐構造における欠点を解決する靴紐構造を提供する。【解決手段】靴紐構造は、弾性内層１０と、弾性内層１０の外側を被覆する織り外紐２０とを含む。織り外紐２０は弾性内層１０に近い両端部に同じ間隔で複数の小径段２１と大径段２２が形成される。大径段２２の弾性内層両端方向の長さは小径段２１の弾性内層両端方向の長さより長く、また弾性内層１０と結合しないため、大径段２２は弾性内層１０の収縮により集合して円錐状に形成される。これによって、靴紐を靴本体の穴に通す時はより容易になり、靴紐通しの効率を向上できる。また靴紐を外側に引っ張って締める時は前の狭い部分を通し、その勢いで大径段を引っ張って平坦にさせた後、穴に通し、次第に小径段を穴の間に制限させると同時に大径段の後ろの広い部分によって靴紐が内側に向けて抜け落ちることを確実に阻止することで、結ばない靴紐の使用効果が向上できる。【選択図】図１
0003217702.tif 000002
【実用新案登録請求の範囲】
【請求項１】
弾性内層と、織り外紐とを含む靴紐構造であって、
上記弾性内層は引張弾性があり、
上記織り外紐は弾性内層の外側を被覆し、上記織り外紐は回転織り方式で弾性内層の外側を被覆し、また上記織り外紐は弾性内層に近い両端部に同じ間隔で複数の小径段と大径段が形成され、上記小径段は弾性内層に固定され、大径段の長さは小径段より長く、そして弾性内層と結合しないため、大径段は弾性内層の収縮により集合して円錐状に形成され、弾性内層に力が加えられ引っ張られると同時に大径段も引っ張られて平坦になることを特徴とする靴紐構造。
【請求項２】
上記弾性内層は複数本の弾性体が集合して束ねられて構成されることを特徴とする請求項１の靴紐構造。
【考案の詳細な説明】
【技術分野】
【０００１】
本考案は靴紐構造に関し、特に結ばない靴紐の使用効果を向上できる織靴紐構造に関する。
【背景技術】
【０００２】
従来の結ばない靴紐の構造は図８、図９を参照されたい。主に穴に通して締める方式の弾性紐３０が提供され、軸方向応力が減少する時、紐の長さに沿って多数のストップ部分３１がある。上記ストップ部分３１は伸縮性があり、或いは直径がラッパー状である。紐が張力によって引っ張られることでそれぞれのストップ部分３１の外径が縮小され、紐が穴に通される。紐の張力が解放されると、ストップ部分が軸方向の間隔位置において外へと延伸されるため、ストップ部分の直径は紐が穴において単一方向に移動することに抵抗できる大きさになる。しかし、上述のような従来構造をよく見ると不足する部分がまだ存在していて、主な原因は以下のようである。該弾性紐３０は丸紐であり、そして表面に複数のボール状に近いストップ部分３１が凸設されることで、該弾性紐３０は局部的にしか該靴本体に接触しないため、お互いの摩擦抵抗力が不十分であり、歩行或いは走行によって引っ張られて外れやすくなる。さらに弾性紐３０は丸紐で、そして外へ広がる直径はボール状のため、順方向に広がるデザインによる阻止効果が低く、もし弾性紐３０の柔軟度が高すぎる時、該ストップ部分３１は勝手に滑り外れやすく、結ばない靴紐の使用要求にふさわしくない。
【０００３】
従って、本考案者は長年にわたって関係商品の製造開発と設計経験により、上述の目標について、詳細に設計を行い、慎重に評価した結果、実用性に満ちた本考案を得た。
【考案の概要】
【考案が解決しようとする課題】
【０００４】
本考案が解決しようとする課題は、従来技術に存在する上述の欠点を解決し、靴紐構造を提供する。
【課題を解決するための手段】
【０００５】
本考案の靴紐構造は、引張弾性を有する弾性内層と、弾性内層の外側を被覆する織り外紐とを含む。該織り外紐は回転織り方式で弾性内層の外側を被覆し、また該織り外紐は弾性内層に近い両端部に同じ間隔で複数の小径段と大径段が形成される。該小径段は弾性内層に固定され、大径段の長さは小径段より長く、そして弾性内層と結合しないため、大径段は弾性内層の収縮により集合して円錐状に形成される。弾性内層に力が加えられ引っ張られると同時に大径段も引っ張られて平坦になる。上述の構造により、靴紐構造の改良になる。
【０００６】
該靴紐は弾性内層の外側に織り外紐を被覆し、また該織り外紐は弾性内層に近い両端部に同じ間隔で順番に小径段と大径段が設けられるため、靴紐を靴本体の穴に通す時はより容易になり、靴紐通しの効率を向上できる。また該靴紐の大径段が内側に縮んで集合する時は前が狭く、後ろが広い円錐状に形成されるため、靴紐を外側に引っ張って締める時は前の狭い部分を通して、その勢いで大径段を引っ張って平坦にさせた後、穴に通して、次第に小径段を穴の間に制限させると同時に大径段の後ろの広い部分によって確実に靴紐が内側に向けて抜け落ちることを阻止することで、結ばない靴紐の使用効果が向上できる。
【図面の簡単な説明】
【０００７】
【図１】図１は、本考案に係る靴紐構造を示す立体図である。
【図２】図２は、本考案の大径段の縮み、引っ張りの変化を示す断面図である。
【図３】図３は、本考案の大径段の縮み、引っ張りの変化を示すもう一つの断面図である。
【図４】図４は、本考案の靴紐が穴を通すことを示す状態図である。
【図５】図５は、本考案の靴紐の小径段が穴に取り付けられたことを示す状態図である。
【図６】図６は、本考案の靴紐が大径段の制限を受けることを示す状態図である。
【図７】図７は、本考案に係る靴紐構造の実際の使用状態を示す状態図である。
【図８】図８は、従来構造の立体図である。
【図９】図９は、従来構造の断面図である。
【考案を実施するための形態】
【０００８】
まず、図１、図２、及び図３を参照されたい。本考案の靴紐構造は、弾性内層１０を含み、該弾性内層１０は複数本の弾性体１１が集合して束ねられて構成され、そして引張弾性がある。また、弾性内層１０の外側を被覆する織り外紐２０がある。該織り外紐２０は回転織り方式で弾性内層１０の外側を被覆し、また該織り外紐２０は弾性内層１０に近い両端部に同じ間隔で複数の小径段２１と大径段２２が形成される。該小径段２１は弾性内層１０に固定され、大径段２２の長さは小径段２１より長く、そして弾性内層１０と結合しないため、大径段２２は弾性内層１０の収縮により前が狭く、後ろが広い円錐状に集合して形成され、さらに小径段２１より少なくとも３倍の厚みがある。弾性内層１０に力を加えて引っ張ると同時に大径段２２も引っ張られて平坦になる。上述の構造により、靴紐構造の改良になる。
【０００９】
構造における実際の使用状態は、引き続き図４、図５、図６、図７を参照されたい。該靴紐が使用される時、該織り外紐２０は小径段２１によって弾性内層１０に固定され、そして織り外紐２０の大径段２２が円錐状に形成される。弾性内層１０の弾性を利用して織り外紐２０が引っ張られることで、織り外紐２０の大径段２２が引っ張られて平坦状になるため、簡単に靴本体の穴Ａに通すことができる。そして、弾性内層１０を解放する時、収縮後は円錐状になる大径段２２が穴Ａの両端に位置限定されるため、結ばない靴紐の使用効果を果たす。また該織り外紐２０は弾性内層１０の両端部にだけ同じ間隔で小径段２１と大径段２２が設けられ、靴紐を穴Ａに通す時、より容易かつ便利な方法によってその中を通し、靴紐を通す効率が大幅に向上し、結ばない靴紐の使用効果が向上する。さらにコストが有効に抑えられるため、経済効果を奏する。
【００１０】
上述の具体的な実施例の構造によると、以下の効果が得られる。すなわち、該靴紐は弾性内層１０の外側に織り外紐２０を被覆し、また該織り外紐２０は弾性内層１０に近い両端部に同じ間隔で順番に小径段２１と大径段２２が設けられるため、靴紐を靴本体の穴Ａに通す時はより容易になり、靴紐通しの効率を向上できる。また該靴紐の大径段２２は内側に縮んで集合する時は前が狭く、後ろが広い円錐状に形成されるため、靴紐を外側に引っ張って締める時は前の狭い部分を通して、その勢いで大径段２２を引っ張って平坦にさせた後、穴Ａに通し、次第に小径段２１を穴Ａの間に制限させると同時に大径段２２の後ろの広い部分によって靴紐が内側に向けて抜け落ちることを確実に阻止することで、結ばない靴紐の使用効果が向上できる。
【００１１】
以上は、本考案に係る実施例の一部に過ぎないため、本考案の実施範囲を制限するものではない。即ち、本考案の実用新案登録請求の範囲内で行われる変化、修飾なども本考案の範囲に属すべきである。
【符号の説明】
【００１２】
１０        弾性内層
１１        弾性体
２０        織り外紐
２１        小径段
２２        大径段
Ａ          穴
３０        弾性紐
３１        ストップ部分
【図１】
0003217702.tif 000003
【図２】
0003217702.tif 000004
【図３】
0003217702.tif 000005
【図４】
0003217702.tif 000006
【図５】
0003217702.tif 000007
【図６】
0003217702.tif 000008
【図７】
0003217702.tif 000009
【図８】
0003217702.tif 000010
【図９】
0003217702.tif 000011
【手続補正書】
【提出日】平成30年6月26日(2018.6.26)
【手続補正１】
【補正対象書類名】実用新案登録請求の範囲
【補正対象項目名】全文
【補正方法】変更
【補正の内容】
【実用新案登録請求の範囲】
【請求項１】
弾性内層と、織り外紐とを含む靴紐構造であって、
上記弾性内層は引張弾性があり、
上記織り外紐は弾性内層の外側を被覆し、上記織り外紐は回転織り方式で弾性内層の外側を被覆し、また上記織り外紐は弾性内層に近い両端部に同じ間隔で複数の小径段と大径段が形成され、上記小径段は弾性内層に固定され、大径段の弾性内層両端方向の長さは小径段の弾性内層両端方向の長さより長く、そして弾性内層と結合しないため、大径段は弾性内層の収縮により集合して円錐状に形成され、弾性内層に力が加えられ引っ張られると同時に大径段も引っ張られて平坦になることを
特徴とする靴紐構造。
【請求項２】
上記弾性内層は複数本の弾性体が集合して束ねられて構成されることを特徴とする請求項１の靴紐構造。